(57)【要約】【課題】個々の植物を均一の環境下において良好に制御して、植物栽培を行う。【解決手段】植物支持台１１には植物の根が支持されて、植物が植物収納体１２内に収納される。泡沫発生装置１４では、培養液で形成された泡沫を植物収納体内に供給して、泡沫で植物を栽培・保護する。例えば、泡沫は植物支持台側から植物収納体内に供給され、培養液には少なくとも肥料及び界面活性剤が含まれ、培養液に少なくとも酸素及び炭酸ガスが含まれる気体を吹き込んで泡沫を生成する。【選択図】      図１
2004194614.tif 000002
【特許請求の範囲】
【請求項１】
植物を栽培する際に用いられる装置であって、
前記植物の根が支持される支持台と、
該支持台に連続して前記植物が収納される収納容器と、
該収納容器に培養液で形成された泡沫を供給する泡沫供給手段とを有し、
前記泡沫で前記植物を栽培・保護するようにしたことを特徴とする植物栽培装置。
【請求項２】
前記泡沫は前記支持台側から前記収納容器に供給されるようにしたことを特徴とする請求項１に記載の植物栽培装置。
【請求項３】
前記培養液には少なくとも肥料及び界面活性剤が含まれ、
前記泡沫供給手段では、前記培養液に少なくとも酸素及び炭酸ガスが含まれる気体を吹き込んで前記泡沫を生成するようにしたことを特徴とする請求項１又は２に記載の植物栽培装置。
【請求項４】
前記泡沫供給手段は、前記収納容器中の下部に小径気泡の泡沫を供給する第１の供給手段と、
前記収納容器中の上部に前記小径気泡よりも径の大きい大径気泡の泡沫を供給する第２の供給手段とを有することを特徴とする請求項１に記載の植物栽培装置。
【請求項５】
前記第１の供給手段では、前記培養液として少なくとも前記植物の根用の肥料と界面活性剤とを含む第１の培養液を用いて該第１の培養液に少なくとも酸素を含む気体を吹き込んで前記小径気泡の泡沫を生成し、
前記第２の供給手段では前記培養液として少なくとも前記植物の葉用の肥料と界面活性剤とを含む第２の培養液を用いて該第２の培養液に少なくとも炭酸ガスを含む気体を吹き込んで前記大径気泡の泡沫を生成するようにしたことを特徴とする請求項４に記載の植物栽培装置。
【請求項６】
前記第２の供給手段では日中前記炭酸ガスの量を増やすようにしたことを特徴とする請求項５に記載の植物栽培装置。
【請求項７】
前記収納容器は透明のフィルム体、網体、又は間隔を開けて配置した棒で形成されていることを特徴とする請求項１〜６のいずれかに記載の植物栽培装置。
【請求項８】
前記支持台として多孔質、発泡樹脂、又は針金製の支持台を用いるようにしたことを特徴とする請求項１〜７のいずれかに記載の植物栽培装置。
【請求項９】
前記収納容器中に収納された前記植物に可視光を照射する光源を備えることを特徴とする請求項７に記載の植物栽培装置。
【請求項１０】
前記光源は発光ダイオードであることを特徴とする請求項９に記載の植物栽培装置。
【請求項１１】
植物を栽培する際に用いられる方法であって、
前記植物の根を支持台が支持して収納容器に収納した後、該収納容器に培養液で形成された泡沫を供給して、前記泡沫で前記植物を栽培・保護するようにしたことを特徴とする植物栽培方法。
【発明の詳細な説明】
【０００１】
【発明の属する技術分野】
本発明は、植物の栽培装置及びその方法に関し、特に、泡沫中で植物を栽培するための装置及びその方法に関するものである。
【０００２】
【従来の技術】
一般に、温室栽培等の施設園芸においては、所定の環境下（コントロールされた環境下）で植物の栽培を行っており、茎及び葉等の植物上部に関しては、照度、温湿度、ガス組成（例えば、炭酸ガスの濃度等）がコントロールされ、根等については、滋養液組成及び酸素供給を含めた灌水タイミングがコントロールされている。
【０００３】
さらに、根については、土よりも環境制御が容易なピートモス等の有機材を使用する方法、精密な制御を行うため、礫又はロックウール基材を用いた点滴又は還流方法、精密な制御が可能な水耕又はミスト方法等がある。
【０００４】
ところが、一般には、温室が用いられており、温室栽培において、個々の植物毎に精度よく栽培環境を制御することは難しい。つまり、温室栽培では、温室内全体を均一に制御することが難しく、例えば、温室内においては、空気の流れが良好な箇所と空気の流れが良好でない箇所が不可避的に生じるばかりでなく、温湿度についても、温室内において不均一となり、温室内全体の環境を均一に保つことが難しい。さらに、温室等の栽培室においては、一般に、平面的に植物を生育する関係上、内部空間を有効に利用することが難しくなってしまう。
【０００５】
ところで、温室栽培等において、栽培室内の空間利用効率を向上させるため、上部が開口し、内部に培地が充填された長尺筐体状の栽培容器を栽培室内に配設して、培地に植物を植え付けた後、養液を収容する養液供給源から培地に養液を与えて植物を育成する際、栽培容器を栽培者の栽培作業位置に合わせて吊下して、栽培容器下方の床面に他の植物栽培容器を設置して、これによって、他の植物を栽培するようにし、栽培室内での作業性を向上させるとともに、栽培容器の下方空間を効率よく利用するようにしている（例えば特許文献１参照）。
【０００６】
【特許文献１】
特開２００１−２８６２２５公報（段落（００２３）〜（００２７）、第１図〜第４図）
【０００７】
【発明が解決しようとする課題】
前述のように、温室栽培等においては、個々の植物毎に精度よく栽培環境を制御することは難しく、温室内全体の環境を均一に保つことが難しいという課題があり、しかも温室栽培の場合には、その栽培空間を広くしなければ、採算がとれないという課題もある。さらに、従来の温室栽培においては、温室全体では、温度湿度及びガス組成が均一になっているようであっても、個々の植物についてみると、温室内の作付け位置によって、温湿度等が微妙に異なる結果、各植物に対する温湿度及びガス組成を均一にできないという課題がある。
【０００８】
加えて、従来の温室栽培においては、特に、密閉空間である関係上、夏期における高温対策が良好に行われず、高温対策を行おうとすると、冷房費がかさみ、省エネルギーの観点から問題がある。さらに、温室栽培においては、個々の植物に良好に肥料を供給するため、多量の肥料を使用する必要があり、このため、肥料に要する経費がかさんでしまうという課題もあり、しかも根と葉とを区別してガス（酸素及び炭酸ガス）供給を行うことが難しいという課題がある。
【０００９】
いずれにしても、従来の温室栽培等の施設園芸においては、個々の植物に対して、その環境を良好に制御することが難しいという課題がある。
【００１０】
本発明の目的は、個々の植物を均一の環境下におけるよう良好に制御することのできる植物栽培装置及びその方法を提供することにある。
【００１１】
本発明の他の目的は、栽培スペースを少なくして、しかも良好に植物の栽培を行うことができる植物栽培装置及びその方法を提供することにある。
【００１２】
【課題を解決するための手段】
本発明によれば、植物を栽培する際に用いられる装置であって、前記植物の根が支持される支持台と、該支持台に連続して前記植物が収納される収納容器と、該収納容器に培養液で形成された泡沫を供給する泡沫供給手段とを有し、前記泡沫で前記植物を栽培・保護するようにしたことを特徴とする植物栽培装置が得られる。
【００１３】
このようにして、収納容器中に植物を収納して、収納容器中に培養液で形成された泡沫を供給するようにすれば、泡沫によって、植物に養分が供給されるとともに、泡沫で植物が保護されることになり、その結果、泡沫が保温効果等を有することを考慮すると、個々の植物を均一の環境下におき良好に制御することができる。さらに、泡沫を用いて植物の栽培を行っているから、土壌等の設備が必要なく、従って、栽培スペースを少なくして、良好に植物の栽培を行うことができる。
【００１４】
例えば、前記泡沫は前記支持台側から前記収納容器に供給され、前記培養液には少なくとも肥料及び界面活性剤が含まれ、前記泡沫供給手段では、前記培養液に少なくとも酸素及び炭酸ガスが含まれる気体を吹き込んで前記泡沫を生成する。
【００１５】
このように、培養液に、少なくとも肥料及び界面活性剤を含むようにすれば、容易に泡沫を形成することができ、さらに、培養液に少なくとも酸素及び炭酸ガスが含まれる気体を吹き込んで泡沫を生成するようにすれば、植物の根に効率的に酸素を供給することができ、しかも、植物の葉における光合成を促進できることになる。
【００１６】
さらに、本発明では、前記泡沫供給手段は、前記収納容器中の下部に小径気泡の泡沫を供給する第１の供給手段と、前記収納容器中の上部に前記小径気泡よりも径の大きい大径気泡の泡沫を供給する第２の供給手段とを有するようにしてもよく、この際には、前記第１の供給手段では前記培養液として少なくとも前記植物の根用の肥料と界面活性剤とを含む第１の培養液を用いて該第１の培養液に少なくとも酸素を含む気体を吹き込んで前記小径気泡の泡沫を生成し、前記第２の供給手段では前記培養液として少なくとも前記植物の葉用の肥料と界面活性剤とを含む第２の培養液を用いて該第２の培養液に少なくとも炭酸ガスを含む気体を吹き込んで前記大径気泡の泡沫を生成する。
【００１７】
このようにして、収納容器中の下部に小径気泡の泡沫を供給して、収納容器中の上部に小径気泡よりも径の大きい大径気泡の泡沫を供給するようにすれば、大径気泡によって収納容器中の上部における光透過率が良好になって、植物の葉における光合成を促進できることになり、この際、少なくとも植物の根用の肥料と界面活性剤とを含む第１の培養液を用いて、第１の培養液に少なくとも酸素を含む気体を吹き込んで小径気泡の泡沫を生成するようにし、少なくとも植物の葉用の肥料と界面活性剤とを含む第２の培養液を用いて、第２の培養液に少なくとも炭酸ガスを含む気体を吹き込んで、大径気泡の泡沫を生成するようにすれば、植物の根の部分については酸素と根用の肥料を効率的に供給することができ、植物の葉の部分については、炭酸ガスと葉用の肥料を効率的に供給することができることになる。
【００１８】
さらに、本発明では、前記第２の供給手段では日中前記炭酸ガスの量を増やし、前記収納容器を透明のフィルム体、網体、又は間隔を開けて配置した棒で形成する。そして、前記支持台として多孔質、発泡樹脂、又は針金製の支持台を用いることが望ましい。
【００１９】
このようにして、日中には炭酸ガスの量を増やして、大径気泡の泡沫を収納容器の上部に供給するようにすれば、植物の葉の部分における光合成がさらに促進され、収納容器を透明のフィルム体、網体、又は間隔を開けて配置した棒で形成するようにすれば、収納容器に収納された植物の葉の部分に良好に日光を供給できることになる。また、支持台として多孔質、発泡樹脂、又は針金製の支持台を用いたので、簡単に植物の根を支持台に支持させることができることになる。
【００２０】
加えて、本発明では、前記収納容器中に収納された前記植物に可視光を照射する光源を備えるようにしてもよく、この際には、前記光源として発光ダイオードを用いることが望ましい。このように、収納容器中に収納された植物に可視光を照射する光源として発光ダイオードを備えるようにすれば、温度上昇を抑えて、植物に可視光を照射できることになる。
【００２１】
また、本発明によれば、植物を栽培する際に用いられる方法であって、前記植物の根を支持台が支持して収納容器に収納した後、該収納容器に培養液で形成された泡沫を供給して、前記泡沫で前記植物を栽培・保護するようにしたことを特徴とする植物栽培方法が得られる。
【００２２】
【発明の実施の形態】
以下、本発明について図面を参照して説明する。但し、この実施の形態に記載されている構成部品の寸法、材質、形状、その他相対的配置等は特に特定的な記載がないかぎり、この発明の範囲をそれに限定する趣旨ではなく、単なる説明例に過ぎない。
【００２３】
まず、図１を参照して、本発明による植物栽培方法の一例に用いられる装置（植物栽培装置）について説明する。図示の植物栽培装置は、植物支持台１１及びこの植物支持台１１に取り付けられた植物収納体（植物収納容器）１２を有している。植物支持体１１は植物の根を支持するために用いられ、例えば、多孔質部材、発泡樹脂、又は針金等が用いられる。また、植物収納体１２は、例えば、円筒形状であり、その内部空間に植物が配置されることになる。そして、植物収納体１２は、透明の薄いシート又はフィルム製であってもよく、金網製であってもよい。さらには、植物収納体１２を、間隔を開けて配置した棒で形成するようにしてもよい。つまり、複数の棒を用いて、これら棒を所定の間隔を開けて配置して、植物収納体１２を形成するようにしてもよい。
【００２４】
図示の例では、植物収納体１２には、ホース部材１３が連結され、例えば、ホース部材１３は植物支持台１１を貫通してその開口端が植物（図示せず）の根近傍に位置づけられる。そして、ホース部材１３には泡沫発生装置１４が連結されており、この泡沫発生装置１４からホース部材１３を介して植物収納体１２内に泡沫が供給される。
【００２５】
ここで、泡沫の性質について概説すると、泡沫には、球形気泡が集まった湿泡（Ｗｅｔ  Ｆｏａｍ）と多角形気泡が集合した乾泡（Ｄｒｙ  Ｆｏａｍ）とがあり、例えば、グラス内においては上部から徐々に多角形となる。泡沫の液膜が薄くなると、気泡同士の接触面はほぼ平面となって、液膜会合部（ＰｌａｔｅａｕＢｏｒｄｅｒ）が形成され、吸引圧が生じる。液は液膜から液膜会合部に集まり、液膜会合部を通じて流下する。従って、液膜と液膜会合部とはその上部から含水率が低下する。なお、上記の吸引圧ΔＰは、界面張力をγ（Ｎ／ｍ）、気泡の曲率をｒ（ｍ）とした際、ΔＰ＝２γ／ｒ（Ｌａｐｌａｃｅ−Ｙｏｕｎｇの式）で表される。
【００２６】
液膜会合部への液移動は液膜の性質によって異なり、液膜は動膜（ｍｏｂｉｌｅ  ｆｉｌｍ）と不動膜（ｒｉｇｉｄ  ｆｉｌｍ）とに大別され、動膜では、表面を含めた液膜が固まりとなって移動する（液膜会合部に吸引される）ため、短時間で液膜が薄くなる。一方、不動膜は、その表面が移動せず、２平板流れとなって、薄膜化速度は動膜よりも低くなる。
【００２７】
図２を参照して、泡沫発生装置１４は、培養液が収納される培養液収納部１４ａを備えており、この培養液収納部１４ａに仕切板１４ｂを介して泡沫空間１４ｃが隣接している。この仕切板１４ｂの上端側には複数の孔部１４ｄが規定されており、この孔部によって培養液収納部１４ａと泡沫空間１４ｃとが連通している（なお、培養液収納部１４ａには孔部１４ｄの高さ未満まで培養液が収納されることになる）。
【００２８】
培養液には、肥料、界面活性剤、及び増粘剤が含まれる（なお、蛋白質系の界面活性剤を用いた際には、増粘剤は不要となる）。通常の界面活性剤（例えば、アルキル酸等）を用いた際には、液膜が前述の動膜となる関係上、増粘剤を添加することが好ましい。また、蛋白質系の界面活性剤を用いた際には、液膜が前述の不動膜となる関係上、増粘剤を添加しなくてもよい。例えば、界面活性剤は培養液５０００ｃｃに対して０．５ｃｃ含有させ、増粘剤は１％程度含有させる。
【００２９】
培養液収納部１４ａには気体（空気、酸素、及び／又は炭酸ガス）が吹き込まれて、この気体の吹き込みによって、培養液が泡沫となって、前述の間隙を通って、泡沫空間１４ｃに移動することになる。そして、泡沫空間１４ｃに達した泡沫はホース部材１３を通って植物収納体１２内にその下側から送り込まれることになる。
【００３０】
上述のようにして、泡沫を植物収納体１２内に送り込むと、植物収納体１２内は徐々に泡沫で満たされることになり、泡沫の供給を継続的に行えば、植物収納体１２内の泡沫はなくなることがない。前述のように、培養液には肥料が含まれ、しかも、泡沫を発生させる際には、気体が送り込まれる結果、泡沫には肥料及び気体が含まれていることになり、結果的に、植物の根及び葉等に肥料が供給されるとともに、酸素及び／又は炭酸ガスが供給されることになる。
【００３１】
植物の生育においては、根には酸素を供給し、葉には光合成を行うため、炭酸ガスを供給することが望ましいが、前述の気体として酸素及び炭酸ガスを吹き込むようにすれば、根及び葉にそれぞれ酸素及び炭酸ガスが供給されることになる。一方、肥料として根から吸収される肥料及び葉から吸収される肥料を加えれば、根及び葉の両方に肥料を供給することができることになる。
【００３２】
加えて、泡沫には保温効果がある関係上、夏期等においても植物収納体１２内の温度変化が少なく、冷房などのエネルギーを低減することができ、さらには、泡沫によって防虫効果を得ることができる。しかも、植物は泡沫で包まれている結果、温湿度を均一とすることができ、吹き込む気体の流量に応じてガス濃度を調整することができる。
【００３３】
ところで、図１に示す例では、ホース部材１３を用いて植物収納体１２に泡沫を供給するようにしたが、ホース部材１３を用いることなく、例えば、針金等又は網等を植物支持台１１として用いて、植物収納体１２の下面に泡沫発生装置１４を連結するようにしてもよい。
【００３４】
さらには、図３に示すように、口径の太いパイプ１５を泡沫発生装置１４に連結して、このパイプ１５から枝分かれする支管１６を複数設けて、これら支管１６をそれぞれ前述の植物収納体１２の下面に接続するようにすれば、複数の植物収納体１２に泡沫を供給することができ、複数の植物収納体１２を立体的に配置すれば、省スペースで、泡沫を用いて植物栽培を行うことができることになる。
【００３５】
ここで、図４を参照して、本発明による植物栽培方法の他の例について説明する。なお、図４において、図１と同一の構成要素については同一の参照番号を付す。
【００３６】
図１に示す例では、一つのホース部材１３のみを用いたが、図４に示すように、二つのホース部材（第１及び第２のホース部材）２１及び２２を用いるようにしてもよい。第１のホース部材２１は第２のホース部材２２の下側に位置づけられている。例えば、第１のホース部材２１は植物支持台１１を貫通してその開口端が植物の根近傍に位置づけられるか又は植物収納体１２の側壁を貫通して、その開口端を植物の根近傍に位置づける。一方、第２のホース部材２２は、植物収納体１２の側壁を貫通して、その開口端が植物の葉近傍に位置づけられるか又は植物収納体１２の上端に第２のホース部材２２の開口端を位置づけるようにする。
【００３７】
第１及び第２のホース部材２１及び２２にはそれぞれ第１及び第２の泡沫発生装置３１及び３２が連結されており、これら第１及び第２の泡沫発生装置３１及び３２からそれぞれ第１及び第２のホース部材２１及び２２を介して植物収納体１２に泡沫が供給される。なお、第１及び第２の泡沫発生装置３１及び３２の構成は、図１で説明した泡沫発生装置と同様であるが、第２の泡沫発生装置３２は第１の泡沫発生装置３１よりもその径が大きい泡沫を発生する。
【００３８】
例えば、前述した仕切板１４ｂの孔部１４ｄの径に気泡径は左右される。孔径が大きければ、付着力（界面張力×孔周長）が大きくなって、大きな気泡に成長することになる。そして、気泡のサイズは気泡の浮力と孔での付着力とのバランスで決定され、付着力は孔径に比例する。
【００３９】
第１及び第２の泡沫発生装置３１及び３２には培養液が収納され、図１で説明したようにして、泡沫を発生させて、それぞれ第１及び第２のホース部材２１及び２２を介して泡沫を植物収納体１２に供給する。
【００４０】
第１の泡沫発生装置３１に収納された培養液には、前述したように、界面活性剤及び増粘剤が含まれており（界面活性剤が蛋白質系の界面活性剤である場合には、前述したように、増粘剤は不要である）、肥料として根用の肥料が含まれている。さらに、第１の泡沫発生装置３１に供給される（吹き込まれる）気体は酸素を主体とする気体（酸素を多く含む）が用いられる。そして、第１の泡沫発生装置３１では小径気泡の泡沫を発生する。
【００４１】
一方、第２の泡沫発生装置３２に収納された培養液には、界面活性剤及び増粘剤が含まれており（界面活性剤が蛋白質系の界面活性剤である場合には、増粘剤は不要である）、肥料として葉用の肥料が含まれている。さらに、第２の泡沫発生装置３２に吹き込まれる気体は炭酸ガスを含む気体が用いられる。昼間（日中）においては、光合成の関係上、炭酸ガスの含有率が高くされる。そして、第２の泡沫発生装置３２では大径気泡の泡沫を発生する。
【００４２】
上述のようにして、第１及び第２の泡沫発生装置３１及び３２から泡沫を供給すると、植物収納体１２においては、根付近は小径気泡の泡沫で覆われることになり、葉付近では大径気泡の泡沫で覆われることになる。つまり、植物収納体１２の下部は小径気泡の泡沫で満たされ、植物収納体１２の上部は大径気泡の泡沫で満たされることになる。そして、大径気泡の方が小径気泡に比べて光の透過率が良好であるから、葉の部分には良好に光が供給されることになる。大径気泡の場合、個々の流路（液膜会合部：ｐｌａｌｅａｕ  ｂｏｒｄｅｒ）が太くなる効果が、流路数減少よりも優れるため、液流下が速まり、液膜は薄くなる（薄膜化と液膜破壊とは別現象である）。ここでは、液膜破壊には言及しない。
【００４３】
しかも、小径気泡の泡沫には、根用の肥料が含まれるとともに酸素が送り込まれているから、根に十分な酸素が供給でき、しかも根から良好に肥料が吸収されることになって、肥料の割合を低減することができる。また、大径気泡の泡沫には、葉用の肥料が含まれるとともに炭酸ガスが送り込まれているから、葉の部分では良好に光合成が行われることになり、しかも葉から良好に肥料が吸収されることになって、肥料の割合を低減することができることになる。
【００４４】
なお、例えば、発光ダイオードを光源として用いて、植物収納体１２に収納された植物に光を照射するようにしてもよい。この際には、可視光（５７０ｎｍ〜６２０ｎｍ）が用いられる。発光ダイオードを用いれば、光源からの熱の発散が極めて少なく、温度管理に支障をきたすことがない。
【００４５】
また、前述の植物は、例えば、水耕栽培等で根を生やした後、前述の植物収納体１２内に移すことが望ましい。
【００４６】
【発明の効果】
以上説明したように、本発明によれば、植物の根を支持台に支持させて、収納容器に収納し、収納容器中に培養液で形成された泡沫を供給するようにしたので、泡沫によって、植物に養分が供給されるとともに、泡沫で植物が保護されることになり、その結果、泡沫が保温効果等を有することを考慮すると、個々の植物を均一の環境（例えば、温湿度）下において良好に制御することができるという効果があり、さらに、泡沫を用いて植物の栽培を行っているから、土壌等の設備が必要なく、従って、栽培スペースを少なくして、良好に植物の栽培を行うことができるという効果がある。
【００４７】
本発明では、培養液に、少なくとも肥料及び界面活性剤が含まれているから、容易に泡沫を形成することができ、さらに、培養液に少なくとも酸素及び炭酸ガスが含まれる気体を吹き込んで泡沫を生成するようにしたので、植物の根に効率的に酸素を供給することができ、植物の葉における光合成を促進できるという効果がある。
【００４８】
本発明では、収納容器中の下部に小径気泡の泡沫を供給して、収納容器中の上部に小径気泡よりも径の大きい大径気泡の泡沫を供給するようにしたから、大径気泡によって収納容器中の上部における光透過率が良好になって、植物の葉における光合成を促進できるという効果がある。
【００４９】
また、本発明では、少なくとも植物の根用の肥料と界面活性剤とを含む第１の培養液を用いて、該第１の培養液に少なくとも酸素を含む気体を吹き込んで小径気泡の泡沫を生成し、この小径気泡の泡沫を収納容器中の下部に供給し、また、少なくとも植物の葉用の肥料と界面活性剤とを含む第２の培養液を用いて、該第２の培養液に少なくとも炭酸ガスを含む気体を吹き込んで、大径気泡の泡沫を生成して、この大径気泡の泡沫を収納容器の上部に供給するようにしたので、植物の根の部分については酸素と根用の肥料を効率的に供給することができ、植物の葉の部分については、炭酸ガスと葉用の肥料を効率的に供給することができ、植物の葉の部分では光透過率が良好になるとともに炭酸ガスが供給されるから、光合成が極めて良好に促進されるという効果がある。
【００５０】
本発明では、日中は炭酸ガスの量を増やして、大径気泡の泡沫を収納容器の上部に供給するようにしたので、植物の葉の部分における光合成をさらに促進できるという効果がある。
【００５１】
本発明によれば、収納容器を透明のフィルム体、網体、又は間隔を開けて配置した棒で形成するようにしたので、収納容器に収納された植物の葉の部分に良好に日光を供給できるという効果がある。
【００５２】
本発明では、支持台として多孔質、発泡樹脂、又は針金製の支持台を用いるようにしたので、簡単に植物の根を支持台が支持することができるという効果がある。
【００５３】
本発明では、収納容器中に収納された植物に可視光を照射する光源として発光ダイオードを備えるようにしたので、温度上昇を抑えて、植物に可視光を照射できるという効果がある。
【図面の簡単な説明】
【図１】本発明による植物栽培装置の一例を示す図である。
【図２】図１に示す泡沫発生装置の一例を示す図である。
【図３】植物収納体内に泡沫を供給する際の供給経路の一例を示す図である。
【図４】本発明による植物栽培装置の他の例を示す図である。
【符号の説明】
１１  植物支持台
１２  植物収納体（植物収納容器）
１３  ホース部材
１４  泡沫発生装置
【図１】
2004194614.tif 000003
【図２】
2004194614.tif 000004
【図３】
2004194614.tif 000005
【図４】
2004194614.tif 000006